(57)【特許請求の範囲】
【請求項１】
バレーボール競技用ネットを固定するネット支柱にそれぞれ着脱自在に、かつその上端が上記ネット支柱より上方に突出して取り付けられる１組の支柱と、該支柱間であって上記ネット上辺より所定間隔高い位置に水平に張り渡されるロープと、該ロープの適所に所定間隔を隔てて複数個取り付けられ、垂下せしめられる旗状部材とからなることを特徴とするバレーボール競技用練習具。
【請求項２】
上記旗状部材は、上記ロープに挿通される筒状部分を有し、該筒状部分にて上記ロープの任意の位置に配置されることを特徴とする請求項１記載のバレーボール競技用練習具。
【請求項３】
上記支柱の上方部分に所定間隔を隔てて少なくとも２個の孔が形成されてなり、該孔に上記ロープが通されて固定されることを特徴とする請求項１または２記載のバレーボール競技用練習具。
【請求項４】
上記支柱の下方部分に所定間隔を隔てて、上記支柱を上記ネット支柱に固定するための少なくとも２個のベルト手段が固定されてなることを特徴とする請求項１ないし３のいずれかに記載のバレーボール競技用練習具。
【請求項５】
上記支柱のうち１本の支柱の下方部分に、上記ロープを巻き付ける固定するためのロープ固定手段が設けられていることを特徴とする請求項１ないし４のいずれかに記載のバレーボール競技用練習具。
【発明の詳細な説明】
【０００１】
【発明の属する技術分野】
本発明は、バレーボール競技用練習具に関する。
【０００２】
【従来の技術】
従来、バレーボール競技の練習に際しては、サーブ、アタック、レシーブ、パス、トス等個々のプレーのスキルアップを目的として、ネットを張ったコート上で、これらのプレーがそれぞれ独立して集中的に行われることがある。例えば、サーブの練習にあっては、コートのエンドラインから相手方コートへサーブを繰り返し打つのである。またアタックの練習にあっては、１人の選手がネット際にトスを上げて、他の選手がジャンプして、ボールを相手方コートに打ち込むのである。
【０００３】
【発明が解決しようとする課題】
選手のスキルが向上するにつれて、練習もまた高度なものとなり、たとえばサーブ練習にあっては、ボールが相手コートの狙った位置に落ちるようそのコースをコントロールしたり、またアタック練習にあっては、相手チームのブロッカーを想定し、これをかわしながらスパイクする等の練習が必要となってくる。かかる場合、サーブ練習においてはコースを見極めるための目標があればより効率的であり、またアタック練習ではブロッカー（選手）の代わりになる何らかの手段があれば他の選手を煩わせることもない。
【０００４】
本発明は、このような事情を考慮してなされたもので、種々のバレーボールプレーのスキルアップに有効なバレーボール競技用練習具を提供するものである。
【０００５】
【課題を解決するための手段】
本発明（請求項１）にかかるバレーボール競技用練習具は、バレーボール競技用ネットを固定するネット支柱にそれぞれ着脱自在に、かつその上端が上記支柱より上方に突出して取り付けられる１組の支柱と、該支柱間であって上記ネット上辺より所定間隔高い位置に水平に張り渡されるロープと、該ロープの適所に所定間隔を隔てて複数個取り付けられ、垂下せしめられる旗状部材とからなるものである。かかる構成において、旗状部材は、サーブ練習においてはサーブの高さ及び方向を示す的として利用される。またアタック練習においては、旗状部材は、相手方ブロッカーに見立てて使用される。
【０００６】
本発明（請求項２）にかかるバレーボール競技用練習具において、上記旗状部材は、上記ロープに挿通される筒状部分を有し、該筒状部分にて上記ロープの任意の位置に配置されものである。かかる構成において、サーブの方向に対応して旗状部材はロープ上を左右に移動される。
【０００７】
本発明（請求項３）にかかるバレーボール競技用練習具において、上記支柱の上方部分に所定間隔を隔てて少なくとも２個の孔が形成されてなり、該孔に上記ロープが通されて固定されるものである。かかる構成において、上記ロープの両端は、各支柱の孔に通され、支柱間に張り渡される。
【０００８】
本発明（請求項４）にかかるバレーボール競技用練習具において、上記支柱の下方部分に所定間隔を隔てて、上記支柱を上記ネット支柱に固定するための少なくとも２個のベルト手段が固定されてなるものである。かかる構成において、１組の支柱は上記ロープを張り渡した状態でベルト手段により、ネット支柱に固定される。
【０００９】
本発明（請求項５）にかかるバレーボール競技用練習具において、上記支柱のうち１本の支柱の下方部分に、上記ロープを巻きつけ固定するためのロープ固定手段が設けられてなるものである。かかる構成において、ロープの一端側に結び目が形成されて、この結び目がロープ固定手段を設けていない支柱の孔に引っかかって固定され、ロープの他方の端が、上記ロープ固定手段に巻きつけられて固定される。
【００１０】
【発明の実施の形態】
図１，２において、１は、バレーボール競技用ネットで、コートの両サイドに固定された１組のネット支柱２，２間にネットロープ３にて張り渡されている。これらネット１、ネット支柱２及びネットロープ３は既存のものである。４ａ，４ｂは、その上端がネット支柱２，２より上方に突出してこれに取り付けられた１組の支柱で、その上方部分に所定間隔、例えば約１０ｃｍ隔てて、２個の孔５，５が形成されている。この孔５，５を上下に２個設けたのはこれに通されるロープ６の高さを練習に応じて変更できるようにするためであり、ロープ６高さが変更できれば、選手の背の高さあるいは練習の種類等に応じて適当な高さに調整でき、望ましい。しかしながら、孔５の数は１個としてロープ６の高さを一定とすることも、あるいはさらに多段の高さ調整が可能となるよう３個以上設けることもできる。
【００１１】
６は、一方の孔５、例えば上側の孔５に通された前述のロープでナイロン製ロープ等よりなり、１組の支柱４ａ，４ｂ間に張り渡されている。これよりロープ６は、ネット３の上辺より所定間隔、例えば約５０ｃｍ高い位置に、水平に位置している。７，７…は、略４角形の旗状部材で、一辺に筒状部分８，８…が形成され、これがロープ６に通されて、したがって旗状部材７，７…はロープ６から垂れ下がっている。筒状部分８は布にて、またその下方の４角形部分は、青、赤、黄、白等の彩色に着色されたメッシュ状の布で形成することができる。この旗状部材７，７…は、例えば４枚用意され、ロープ６上を任意の位置、例えば両端の旗状部材７，７はコートのサイドライン近くに、また内側の２枚の旗状部材７７は、両端の旗状部材７，７と均等な間隔をもって配置される。
【００１２】
１組の支柱４ａ，４ｂは、図２に示すように、例えばアルミ製の長さ約１３０ｃｍ、断面２．５×２．５ｃｍ程度の角柱パイプにて形成され、前述のごとく上方部分に２個のロープ挿通用孔５，５が形成されている。９，９は、支柱４ａ，４ｂの下方部分に所定間隔たとえば約４０ｃｍ隔てて取り付けられたベルト手段で、ベルト１０、口金１１及びベルト１０の外表面に取り付けられた面状ファスナー１２よりなる。ベルト１０はその途中部分でリベット１３にて支柱４ａ，４ｂに固定されている。
【００１３】
図１に示すように、支柱４ａ，４ｂをネット支柱２，２の内側（コート側）に当て、ベルト１０をネット支柱２に巻き、ベルト１０の先端を口金１１に通して折り返し、ネット支柱２を締め付けた状態で面状ファスナー１２にて固定するのである。かかる構造のベルト手段９を使用することにより、支柱４ａ，４ｂのネット支柱２，２に対する取り付けが簡単に、かつ着脱自在に行うことができる。支柱４ａ，４ｂは、その上方がネット１の上端より上方へ突出するように取り付けられ、ネット支柱４ａ，４ｂに対する高さによりロープ６の高さを調整することができる。
【００１４】
１４は一方の支柱４ｂ（図１，２中右側の支柱）のネット支柱２に相対する面Ｓ１以外の面Ｓ２において、ベルト手段９の中間に、溶接またはネジ等にて取り付けられた金具で、台形の上辺及び側辺に一致する形状を有し、ロープ固定手段として作用する。図３に示すように、ロープ６の端をこの金具１４に巻き付けることにより、ロープ６は固定される。１５は金具１４の外周に巻きつけられる保護カバーで、選手の金具１４への接触による怪我及びボールの金具１４への接触による破損を防止するものである。保護カバー１５には両端部分に面状ファスナー（図示せず）が取り付けられており、これにより支柱４ｂ及び金具１４を巻きつけた状態が維持される。
【００１５】
支柱４ａ，４ｂへロープ６を取り付けるに際しては、まずロープ６の一端（図１中左端）に結び目１６をつくり、ロープ６の他端（図１中右端）を支柱４ａの孔５に通し、次いで旗状部材７を任意の数、例えば４枚、その筒状部分８に通し、さらにもう一方の支柱４ｂの孔５に通す。しかる後、支柱４ａ，４ｂをそれぞれネット支柱２，２にベルト手段９を介して等しい高さに固定し、ロープ６の他端側を引っ張り、結び目１６が支柱４ａの孔５に当たって止まり、張力が付与され、ロープ６がぴんと張った状態で、他端を金具１４に巻きつけ固定する。かくすると、旗状部材付７，７…がロープ６の任意の位置に垂れ下がった状態となる
。
【００１６】
以下に上記構造のバレーボール競技用練習具の使用方法につき説明する。
ａ．サーブ練習（図４）
旗状部材７を的としてサーブを打つ。旗状部材７に当たれば、ボールのコース、高さともに正確にコントロールされたといえ、選手はもちろんコーチ等第三者もその正確度を知ることができる。
【００１７】
ｂ．アタック練習（図５）
旗状部材７を相手チームのブロッカーに見立てて練習する。すなわちスパイクを打つ選手は旗状部材７を避けてこれに当たらないようボールを打つのである。これにより他の選手にブロックしてもらう必要がなくなる。
【００１８】
ｃ．ジャンプのトレーニング（図６）
ロープ６を目標としてジャンプする。スパイクあるはブロックのプレーに必要なジャンプ力を向上させるとともにプレーをイメージした実戦的ジャンプ練習を行うことができる。ロープ６の高さは選手の背の高さあるいはジャンプ力に応じて適切な値に調整される。
【００１９】
ｄ．フェイント練習（図７）
旗状部材７を相手ブロッカーに見立て、ボールがその上を弧を描いて飛び越えるごとく軽く打つのである。相手選手の背の高さ、ジャンプ力を想定した練習ができる。
【００２０】
ｅ．トスの練習（図８）
旗状部材を７を味方チームのスパイカーの打点位置に見立てて、これにトスを上げる練習である。旗状部材７の高さを特定の選手の打点位置にあわせれば、その選手がいなくてもトス練習することができる。
【００２１】
ｆ．レシーブの練習（図９）
旗状部材７をレシーブの目標（セッターの位置のかわり）として使用する。レシーブボールが緩やかなスピードをもって旗状部材７の手前に落下することにより、レシーブの正確さを客観的に判断することができる。
【００２２】
【発明の効果】
本発明（請求項１）によれば、サーブ等の練習において、ボールを打つ方向、高さが旗状部材にて明確に示されるから、練習がしやすくなり、またコーチ等第三者にとっても練習の成果を客観的に知ることができる。
【００２３】
また本発明（請求項２）によれば、ロープに挿通された旗状部材を、その筒状部分を介して任意の位置に簡単に移動させることにより的あるいは目標としての旗状部材を容易に移動、配置させることができる。
【００２４】
また本発明（請求項３）によれば、例えば２個の孔を設けた場合、いずれかの孔を任意に選択することにより、ロープの位置を高さの異なる２段のいずれかに設定でき、練習の種類或いは選手の能力（例えばジャンプ力）に応じて、適切な高さとすることができる。
【００２５】
また本発明（請求項４）によれば、支柱の下方部分にて２個のベルト手段にてネット支柱に固定されるから、支柱のネット支柱に対する固定はより強固なものとなり、ロープをぴんと張った状態に維持することができる。
【００２６】
また本発明（請求項５）によれば、支柱に設けたロープ固定手段にロープの一端を巻きつけることにより、簡単かつ迅速にロープを固定することができる。
【図面の簡単な説明】
【図１】バレーボール競技用練習具をネット支柱に取り付けられた状態を示す正面図である。
【図２】支柱を示す斜視図である。
【図３】ロープを固定する金具部分を示す斜視図である。
【図４】使用状態を示す概略図である。
【図５】使用状態を示す概略図である。
【図６】使用状態を示す概略図である。
【図７】使用状態を示す概略図である。
【図８】使用状態を示す概略図である。
【図９】使用状態を示す概略図である。
【符号の説明】
１  バレーボール競技用ネット
２，２  ネット支柱
３  ネットロープ
４ａ，４ｂ  支柱
５，５  孔
６  ロープ
７，７  旗状部材
８，８  筒状部分
９，９  ベルト手段
１０  ベルト
１４  金具
【図１】
0003853186.tif 000002
【図２】
0003853186.tif 000003
【図３】
0003853186.tif 000004
【図４】
0003853186.tif 000005
【図５】
0003853186.tif 000006
【図６】
0003853186.tif 000007
【図７】
0003853186.tif 000008
【図８】
0003853186.tif 000009
【図９】
0003853186.tif 000010